(57)【要約】【課題】本発明の課題は、誤操作により、意図せず電源が投入されることを防止する。【解決手段】デジタルカメラ１００は、操作者によるホールディングを検出するための接触センサ１２ａ、１２ｂを設け、電源キー１０ａが操作された場合に、接触センサ１２ａ、１２ｂにおける接触の有無をセンサ検出部１２により検出して、センサ検出部１２から検出信号が入力された場合に、デジタルカメラ１００の電源を投入して、再生モードにて起動を行う。さらに、バリア蓋ＳＷ１６が開状態に操作された場合、デジタルカメラ１００の電源を投入して、撮影モードにて起動を行う。【選択図】　　　　図２
2004072232.tif 000002
【特許請求の範囲】
【請求項１】
電源の投入を指示するスイッチと、
操作者のホールディングを検出するセンサと、
前記スイッチの操作及び前記センサによるホールディングの検出が略同時に行われたことを検出する検出手段と、
前記検出手段により、前記スイッチの操作及び前記センサによるホールディングの検出が略同時に行われたことが検出された場合に、電源を投入させる制御を行う制御手段と、
を備えることを特徴とする撮影装置。
【請求項２】
電源の投入及び所定モードの設定を指示する第１のスイッチ及び第２のスイッチを備え、
前記検出手段は、前記第１のスイッチの操作を検出するか、又は前記第２のスイッチの操作及び前記センサによるホールディングの検出が略同時に行われたことを検出し、
前記制御手段は、前記検出手段により、前記第１のスイッチの操作が検出された場合に、電源を投入させて前記第１のスイッチにより指示されるモードを設定する制御を行い、前記第２のスイッチの操作及び前記センサの検出が略同時に行われたことを検出した場合に、電源を投入させて前記第２のスイッチにより指示されるモードを設定する制御を行うことを特徴とする請求項１記載の撮影装置。
【請求項３】
前記第１のスイッチにより指示されるモードは撮影モードであり、前記第２のスイッチにより指示されるモードは再生モードであることを特徴とする請求項２記載の撮影装置。
【請求項４】
前記第１のスイッチは、スライド動作により開状態又は閉状態に状態変化が可能に構成され、
前記検出手段は、当該第１のスイッチが開状態となった場合に、第１のスイッチの操作を検出することを特徴とする請求項２記載の撮影装置。
【発明の詳細な説明】
【０００１】
【発明の属する技術分野】
本発明は、誤操作防止機能を備える撮影装置に関するものである。
【０００２】
【従来の技術】
近時、デジタルカメラ等の撮影装置は、小型化、軽量化が実現され携帯性が向上するに伴い、手軽にバックやポケット等に収納されて持ち運ばれる機会が増えている。一方、このようなデジタルカメラは、高機能化に伴い、撮影装置の本体に電源キーを備えるだけでなく、各種機能に対応するスイッチを設け、このスイッチの中から所望のスイッチを操作することにより、それぞれ目的に応じたモードにて電源が投入され、撮影装置が起動される構成となっている。
【０００３】
【発明が解決しようとする課題】
しかしながら、従来の撮影装置においては、通常撮影装置の表面に電源キーや各種スイッチが設けられているため、バックやポケット等に収納された際に、誤ってこれらの電源キーや各種スイッチが押下されてしまい、撮影装置を使用していないにも関わらず電源が投入され、無駄に電池を消耗してしまう場合があった。これにより、実際に撮影装置を使用する際に、電池切れとなり良好な撮影機会を失ってしまうという問題があった。
【０００４】
本発明の課題は、誤操作により、意図せず電源が投入されることを防止する撮影装置を提供することである。
【０００５】
【課題を解決するための手段】
上記課題を解決するために、請求項１記載の発明は、
電源の投入を指示するスイッチと、
操作者のホールディングを検出するセンサと、
前記スイッチの操作及び前記センサによるホールディングの検出が略同時に行われたことを検出する検出手段と、
前記検出手段により、前記スイッチの操作及び前記センサによるホールディングの検出が略同時に行われたことが検出された場合に、電源を投入させる制御を行う制御手段と、
を備えることを特徴とする。
【０００６】
したがって、スイッチの操作が検出された場合であっても、センサにより操作者のホールディングの検出が行われない場合は、電源が投入されない。すなわち、誤操作により、スイッチが操作された場合であっても、電源が投入されてしまうことがないため、撮影装置の電源が無駄に消費されることがない。
【０００７】
請求項２記載の発明は、請求項１記載の撮影装置において、
電源の投入及び所定モードの設定を指示する第１のスイッチ及び第２のスイッチを備え、
前記検出手段は、前記第１のスイッチの操作を検出するか、又は前記第２のスイッチの操作及び前記センサによるホールディングの検出が略同時に行われたことを検出し、
前記制御手段は、前記検出手段により、前記第１のスイッチの操作が検出された場合に、電源を投入させて前記第１のスイッチにより指示されるモードを設定する制御を行い、前記第２のスイッチの操作及び前記センサの検出が略同時に行われたことを検出した場合に、電源を投入させて前記第２のスイッチにより指示されるモードを設定する制御を行うことを特徴とする。
【０００８】
したがって、所定のモードの設定を指示する第１のスイッチ又は第２のスイッチを備え、第１のスイッチは、スイッチの操作のみで電源を投入させて指示されたモードを設定することができる。また、第２のスイッチは、スイッチの操作及びセンサの検出により電源を投入させて指示されたモードを設定することができる。これにより、指示されるスイッチに応じて、速やかな電源の投入を行うと共に、対応するモードを設定することができる。
【０００９】
請求項３記載の発明は、請求項２記載の撮影装置において、
前記第１のスイッチにより指示されるモードは撮影モードであり、前記第２のスイッチにより指示されるモードは再生モードであることを特徴とする。
【００１０】
したがって、例えば、操作者が撮影を行いたい場合は、第１のスイッチを操作するだけで、撮影装置の電源を投入させて、撮影モードを設定させることができるため、容易かつ速やかに撮影を行うことができ、良好な撮影機会を逃すことがない。また、例えば、操作者が画像の再生を行いたい場合は、第２のスイッチを操作すると共に、操作者のホールディングをセンサにより検出させることにより、撮影装置の電源を投入させて、再生モードを設定させることができ、誤操作により電源が投入され、表示のための駆動部が起動されてしまうことがない。
【００１１】
請求項４記載の発明は、請求項２記載の撮影装置において、
前記第１のスイッチは、スライド動作により開状態又は閉状態に状態変化が可能に構成され、
前記検出手段は、当該第１のスイッチが開状態となった場合に、第１のスイッチの操作を検出することを特徴とする。
【００１２】
したがって、第１のスイッチの構成によれば、誤操作が起こりにくく、操作者の意図しない操作により、撮影装置の電源が投入されてしまうこと防止することができる。これにより、例えば、第１のスイッチが操作された場合は、センサによる検出の有無に関わらず、撮影装置の電源を投入させることができるため、処理工程を省いて、速やかに撮影装置の電源を投入させることができる。
【００１３】
【発明の実施の形態】
以下、図を参照して本発明の実施の形態を詳細に説明する。ただし、発明の範囲は、図示例に限定されない。
ここで、本発明に係る撮影装置と、本実施の形態におけるデジタルカメラ１００とにおける各構成要素の対応関係を明示する。すなわち、本発明の撮影装置におけるスイッチは、本実施の形態のデジタルカメラ１００における電源キー１０ａに対応し、本発明のセンサは、本実施の形態の接触センサ１２ａ、１２ｂを備えるセンサ検出部１２に対応している。また、本発明の第１のスイッチは、本実施の形態のバリア蓋スイッチ１６に対応し、本発明の第２のスイッチは、本実施の形態の電源キー１０ａに対応している。さらに、本発明の検出手段、制御手段は、本実施の形態の制御部６に対応している。
【００１４】
まず、構成を説明する。
図１は、本実施の形態におけるデジタルカメラ１００の外観構成を示す図である。図１（ａ）は、デジタルカメラ１００の正面斜視図であり、図１（ｂ）は、その背面斜視図である。図１（ａ）に示すように、デジタルカメラ１００の正面中央には、ストロボ１３、ファインダ１４、レンズ１、タイマー作動時に点灯するＬＥＤ１５ａが設けられている。また、これら各部を覆うためのバリア蓋スイッチ（以下、「ＳＷ」と記す）１６が横方向にスライド自在に設けられており、このバリア蓋ＳＷ１６は、開閉動作に応じて電源のＯＮ／ＯＦＦを切り替える入力部１０としての機能を有している。さらに、正面図左側には、操作者によりデジタルカメラ１００がホールディングされる位置に接触センサ１２ａが設けられている。
【００１５】
また、図１（ｂ）に示すように、デジタルカメラ１００の背面には、カラー液晶表示部４、電源キー１０ａ、モード切り替えキー１０ｂ、各種機能キー１０ｄ、ファインダ１４、撮影時に点灯するＬＥＤ１５ｂが設けられている。また、デジタルカメラ１００の背面図右側には、操作者によりホールディングされる位置に接触センサ１２ｂが設けられている。さらに、デジタルカメラ１００の上面には、レリーズキー１０ｃが設けられている。なお、上述した各構成部分の詳細については、後述して説明する。
【００１６】
次に、図２を参照してデジタルカメラ１００の内部構成について説明する。図２は、デジタルカメラ１００の要部構成を示すブロック図である。図２に示すように、デジタルカメラ１００は、レンズ１、ＣＣＤ２、信号処理部３、カラー液晶表示部４、メモリ５、制御部６、画像処理部７、Ｉ／Ｆ部８を介して接続される記録メディア９、入力部１０、電源部１１、接触センサ１２ａ、１２ｂを備えるセンサ検出部１２等を備えて構成されている。なお、記録メディア９を除く各部はバスにより接続されている。
【００１７】
レンズ１は、屈折光学素子を用いた単焦点レンズ、焦点距離を２段階に切り替えることができるダブルフォーカスレンズ、焦点距離を連続的に変えることができるズームレンズ等により構成される。このレンズ１は、外部から入力される光線束を収束させて、後述するＣＣＤ２の受光部に光学像を結像する。
【００１８】
ＣＣＤ（Ｃｈａｒｇｅ　Ｃｏｕｐｌｅｄ　Ｄｅｖｉｃｅ）２は、光（光子）の入力に応じて蓄電容量が変化する半導体素子（フォトダイオード等）の受光部に、転送電極を重ねた素子（画素）を平面状に多数配設した画素面と、各画素に蓄積された電荷を電圧に変換して出力する出力部とから構成される。レンズ１を介して入射した光は上記画素面で受光され、各画素には受光量に比例した電荷が蓄積される。各画素の蓄積電荷は、上記出力部により撮像信号（アナログ信号）として１画素分ずつ順次読み出され、信号処理部３に出力される。
【００１９】
信号処理部３は、アナログ信号をデジタル信号に変換するＡ／Ｄ変換器、ノイズを低減するためのＣＤＳ（相関二重サンプリング）回路、またはデジタル信号をアナログ信号に変換するＤ／Ａ変換器等を備え、ＣＣＤ２から入力されるアナログ画像信号をデジタル画像データに変換して各種信号処理を施し、処理結果をカラー液晶表示部４、制御部６、または画像処理部７に出力する。
【００２０】
カラー液晶表示部４は、バックライト（図示せず）を備える透過型又は半透過型の液晶表示装置により構成され、信号処理部３から入力される画像データに基づいて、表示画面にカラー画像を表示する。具体的には、カラー液晶表示部４は、ファインダとして、撮影時にレンズ１を介して撮りこんだ被写体のスルー画像及び撮影された被写体の画像データを表示すると共に、撮影後に記録メディア９に記録された画像データを再生表示する。また、カラー液晶表示部４は、撮影モード、画質モード、電池残容量、残りコマ数等のデジタルカメラ１００の撮影動作に関する情報を表示する。
【００２１】
メモリ５は、書き換え可能な半導体素子で構成されるＲＡＭ（Ｒａｎｄｏｍ　Ａｃｃｅｓｓ　Ｍｅｍｏｒｙ）、不揮発性の半導体メモリで構成されるＲＯＭ（Ｒｅａｄ　Ｏｎｌｙ　Ｍｅｍｏｒｙ）等から構成される。ＲＯＭは、カメラ１００の各部を制御するための各種制御プログラムのうち、書き換え不要な基本プログラムを格納している。ＲＡＭは、制御部６により各種制御処理が実行される際に、その制御処理を司るプログラムを展開し、処理される各種データ等を一時的に格納する。
【００２２】
制御部６は、メモリ５に記録されているデジタルカメラ１００に対応する各種プログラムの中から指定されたプログラム、入力部１０から入力される各種指示又はデータをメモリ５のワークエリアに展開し、この入力指示及び入力データに応じて上記プログラムに従って各種処理を実行し、その処理結果をメモリ５内の所定の領域に格納すると共に、カラー液晶表示部４に表示させる。
【００２３】
具体的に、制御部６は、デジタルカメラ１００の電源ＯＦＦ時において、後述する電源投入制御処理（図３参照）を実行する。そこで、電源投入制御処理における制御部６の機能について説明する。この電源投入制御処理を実行するに際して、制御部６は、入力部１０から電源キー１０ａの操作信号が入力されると、センサ検出部１２から検出信号が入力されているか否かを判断する。ここで、センサ検出部１２から検出信号が入力されている場合、制御部６は、デジタルカメラ１００が操作者によりホールディングされていると判断して、電源部１１を制御して電源を投入させ、デジタルカメラ１００を再生モードにて起動させる。
【００２４】
ここで、再生モードは、記録メディア９に記録された画像データを読み出して、カラー液晶表示部４に画像データを表示させる再生処理を実行するためのモードである。具体的に、再生モードにて起動処理を行う場合、制御部６は、再生準備として、電源部１１を制御して、カラー液晶表示部４のバックライト（図示せず）に電源を供給して、カラー液晶表示部４を点灯させる。
【００２５】
さらに、制御部６は、入力部１０からバリア蓋ＳＷ１６の操作信号が入力されると、電源部１１を制御して電源を投入させ、デジタルカメラ１００を撮影モードにて起動させる。ここで、撮影モードは、レリーズキー１０ｃが操作された場合に、レンズ１を介して入力される被写体の光学像をＣＣＤ２にて光電変換し、画像データを取得する撮影処理を実行するためのモードである。具体的に、撮影モードにて起動処理が行われた場合、制御部６は、撮影準備として、電源部１１を制御して、フラッシュ光を発光させるためにフラッシュ１３に充電を行わせると共に、レンズ１を所定の駆動位置に移動させる。
【００２６】
画像処理部７は、信号処理部３又は記録メディア９から入力される画像データに対して、階調変換、画素補間、色変換、ＹＣＣ変換、データ圧縮等の所定の画像処理を実行する。
【００２７】
Ｉ／Ｆ部８は、カメラ１００と記録メディア９を接続するためのインターフェースであり、カメラ１００と記録メディア９との間で、画像データ等の転送速度の調整や、データ形式の変換を行い、両者間のデータのやりとりを仲介する。
【００２８】
記録メディア９は、半導体素子にデータを電子的に保存する書き換え可能な不揮発性メモリにより構成され、各種処理により生成された画像データ及び撮影に関する情報をそれぞれ対応付けて記録する。
【００２９】
入力部１０は、電源キー１０ａ、モード切り替えキー１０ｂ、レリーズキー１０ｃ、メニューキー、選択キー、ズームキー等含む各種機能キー１０ｄ、バリア蓋ＳＷ１６を備えて構成され、各種キーの操作に応じた各種操作信号を生成して、制御部６へ出力する。
【００３０】
ここで、電源キー１０ａは、デジタルカメラ１００の電源がＯＦＦの場合、電源を投入してデジタルカメラ１００を再生モードにて起動させるためのキーであり、デジタルカメラ１００の電源がＯＮの場合、デジタルカメラ１００の終了処理を実行して電源を遮断させるためのキーである。
【００３１】
また、モード切り替えキー１０ｂは、デジタルカメラ１００の電源がＯＮの場合、設定されているモードを再生モード／撮影モードに切り替えるためのキーであり、デジタルカメラ１００の電源がＯＦＦの場合、操作されても機能しないキーである。レリーズキー１０ｃは、デジタルカメラ１００の電源がＯＮの場合、シャッターを切るためのキーであり、デジタルカメラ１００の電源がＯＦＦの場合、操作されても機能しないキーである。
【００３２】
さらに、バリア蓋ＳＷ１６は、スライド動作により開状態とした際に、電極端子と接触してＯＮ信号が出力され、スライド動作により閉状態とした際に、電極端子と乖離してＯＦＦ信号が出力される。すなわち、バリア蓋ＳＷ１６は、閉状態から開状態に変化させることにより、デジタルカメラ１００の電源を投入して撮影モードにて起動させるためのスイッチであり、開状態から閉状態に変化させることにより、デジタルカメラ１００の終了処理を実行して電源を遮断させるためのスイッチである。この構成により、バリア蓋ＳＷ１６は、例えば、バックやポケット等に格納されて携帯された場合であっても、誤操作によりスイッチがＯＮすることを防止できる構成となっている。
【００３３】
電源部１１は、アルカリ電池、マンガン電池、ボタン型電池等の１次電池、またはリチウム電池、ニッケル電池、ニカド電池等の２次電池を備えて構成され、電源が投入されると、制御部６の制御に応じて、電池のプラス側の端子及びマイナス側の端子から、デジタルカメラ１００の各部を駆動させる駆動回路（図示せず）に所定電圧の電源を供給する。
【００３４】
センサ検出部１２は、接触センサ１２ａ、１２ｂを備えて構成されている。この接触センサ１２ａ、１２ｂは、例えば、圧電素子、導電性ゴム、感圧半導体等により構成され、操作者に撮影装置がホールディングされることにより、センサ１２ａ及び１２ｂが同時に接触され、センサ検出部１２から検出信号が制御部６に出力される。なお、接触センサ１２ａ、１２ｂは、例えば、押し釦式、スライド釦式、レバー釦式センサであっても良く、各センサの釦が操作されていることを検出すると、センサ検出部１２から検出信号が制御部６に出力される構成であっても良い。
【００３５】
或いは、センサ検出部１２に備えるセンサは、接触センサ１２ａ、１２ｂに限らず、例えば、ファインダ１４に光学式センサを設け、ファインダ１４に対する接眼の有無を検出する構成であっても良い。そして、接眼の有無を検出することにより、操作者のホールディングを検出する構成であっても良い。
【００３６】
次に、本実施の形態の動作を説明する。
なお、動作説明の前提として、以下のフローチャートに記述されている各処理を実現するためのプログラムは、デジタルカメラ１００の制御部６が読み取り可能なプログラムコードの形態でメモリ５に格納されており、制御部６は、当該プログラムコードに従った動作を逐次実行する。
【００３７】
図３は、デジタルカメラ１００の電源ＯＦＦ時に、制御部６により実行される電源投入制御処理を示すフローチャートである。図３に示すように、制御部６は、入力部１０から電源キー１０ａの操作を示す操作信号が入力されたか否かを判断して（ステップＳ１）、電源キー１０ａの操作信号が入力された場合（ステップＳ１；ＹＥＳ）、センサ検出部１２から検出信号が入力されたか否かを判断する（ステップＳ２）。
【００３８】
ここで、センサ検出部１２から検出信号が入力された場合（ステップＳ２；ＹＥＳ）、制御部６は、電源部１１を制御して電源を投入させ（ステップＳ３）、デジタルカメラ１００を再生モードにて起動させる（ステップＳ４）。そして、制御部６は、本電源投入制御処理を終了する。
【００３９】
また、ステップＳ１に戻り、電源キー１０ａの操作信号が入力されない場合（ステップＳ１；ＮＯ）、制御部６は、バリア蓋ＳＷ１６がＯＮされたか否かを判断する（ステップＳ５）。ここで、バリア蓋ＳＷ１６が開状態になり、ＯＮ信号が出力された場合（ステップＳ５；ＹＥＳ）、制御部６は、電源部１１を制御して電源を投入し（ステップＳ６）、撮影モードにてデジタルカメラ１００を起動させる（ステップＳ７）。そして、制御部６は、本電源投入制御処理を終了する。
【００４０】
以上のように、本実施の形態によれば、デジタルカメラ１００に操作者によるホールディングを検出するための接触センサ１２ａ、１２ｂを設け、電源キー１０ａが操作された場合に、接触センサ１２ａ、１２ｂにおける接触の有無をセンサ検出部１２により検出して、センサ検出部１２から検出信号が入力された場合に、デジタルカメラ１００の電源を投入して、再生モードにて起動を行う。また、バリア蓋ＳＷが開状態に操作された場合、デジタルカメラ１００の電源を投入して、撮影モードにて起動を行う。
【００４１】
したがって、押圧操作が容易に行える構成である電源キー１０ａが操作された場合、センサ検出手段により、操作者によるホールディングの有無が検出されない場合、デジタルカメラ１００の電源は投入されないため、例えば、デジタルカメラ１００をバック又はポケット等に格納している際に、誤ってこられのキーが操作された場合であっても、電源が投入されることがない。このため、意図しない誤操作により、デジタルカメラ１００の電源が投入され、電池が無駄に消費されることがなく、撮影時に電源切れになってしまうことを防止することができる。
【００４２】
また、誤操作が容易に起こらない構成であるバリア蓋ＳＷ１６が操作された場合は、センサ検出手段による接触センサ１２ａ、１２ｂの検出信号の有無に関わらず、デジタルカメラ１００の電源を投入して撮影モードにより起動させるため、デジタルカメラ１００を起動する処理工程を省いて、速やかにデジタルカメラ１００を起動させることができる。これにより、例えば、操作者は、撮影を行いたい場合、すぐにデジタルカメラ１００を起動させて撮影を行うことができ、良好な撮影機会を逃すことがない。
【００４３】
さらに、例えば、電源キー１０ａが操作された場合は、再生モードにてデジタルカメラ１００が起動される構成となっているため、誤操作により電源キー１０ａ操作された場合、再生の準備として行われる処理のために大量の電源が消費されることを防ぐことができる。
【００４４】
なお、上述した本実施の形態における記述は、本発明に係る好適な撮影装置の一例であり、これに限定されるものではない。
例えば、操作者がデジタルカメラ１００をホールディングしているにも関わらず、接触センサ１２ａ、１２ｂに感知されず、電源が投入されない場合、すなわち、電源キー１０ａの操作信号のみが入力された場合、制御部６は、ＬＥＤ１５ａ又は１５ｂを点灯させたり、音出力部（図示せず）からビープ音を出力させることにより、警告を出力する構成であっても良い。これにより、接触センサ１２ａ、１２ｂに感知されていないことを速やかに操作者に報知して、正しいホールディング位置によるホールディングを促し、デジタルカメラ１００の起動を行わせることができる。
【００４５】
その他、本実施の形態におけるデジタルカメラ１００の構成部分の細部構成、及び細部動作に関しても、本発明の趣旨を逸脱することのない範囲で適宜変更可能である。
【００４６】
【発明の効果】
請求項１記載の発明によれば、スイッチの操作が検出された場合であっても、センサにより操作者のホールディングの検出が行われない場合は、電源が投入されない。すなわち、誤操作により、スイッチが操作された場合であっても、電源が投入されてしまうことがないため、撮影装置の電源が無駄に消費されることがない。
【００４７】
請求項２記載の発明によれば、請求項１記載の発明の効果に加えて、スイッチの操作が検出された場合であっても、センサにより操作者のホールディングの検出が行われない場合は、電源が投入されない。すなわち、誤操作により、スイッチが操作された場合であっても、電源が投入されてしまうことがないため、撮影装置の電源が無駄に消費されることがない。
【００４８】
請求項３記載の発明によれば、請求項２記載の発明の効果に加えて、例えば、操作者が撮影を行いたい場合は、第１のスイッチを操作するだけで、撮影装置の電源を投入させて、撮影モードを設定させることができるため、容易かつ速やかに撮影を行うことができ、良好な撮影機会を逃すことがない。また、例えば、操作者が画像の再生を行いたい場合は、第２のスイッチを操作すると共に、操作者のホールディングをセンサにより検出させることにより、撮影装置の電源を投入させて、再生モードを設定させることができ、誤操作により電源が投入され、表示のための駆動部が起動されてしまうことがない。
【００４９】
請求項４記載の発明によれば、請求項２記載の発明の効果に加えて、第１のスイッチの構成によれば、誤操作が起こりにくく、操作者の意図しない操作により、撮影装置の電源が投入されてしまうこと防止することができる。これにより、例えば、第１のスイッチが操作された場合は、センサによる検出の有無に関わらず、撮影装置の電源を投入させることができるため、処理工程を省いて、速やかに撮影装置の電源を投入させることができる。
【図面の簡単な説明】
【図１】（ａ）本発明を適用した実施の形態におけるデジタルカメラ１００の外観構成を示す正面斜視図である。（ｂ）デジタルカメラ１００の外観構成を示す背面斜視図である。
【図２】図１に示すデジタルカメラ１００の要部構成を示すブロック図である。
【図３】図２に示す制御部６により実行される電源投入制御処理を示すフローチャートである。
【符号の説明】
１００　　デジタルカメラ
１　　レンズ
２　　ＣＣＤ
３　　信号処理部
４　　カラー液晶表示部
５　　メモリ
６　　制御部
７　　画像処理部
８　　Ｉ／Ｆ部
９　　記録メディア
１０　　入力部
１１　　電源部
１２ａ、１２ｂ　　接触センサ
１３　　フラッシュ
１４　　ファインダ
１５ａ、１５ｂ　　ＬＥＤ
【図１】
2004072232.tif 000003
【図２】
2004072232.tif 000004
【図３】
2004072232.tif 000005